(57)【要約】【課題】ケースの開閉構造の提供。【解決手段】ケース本体にケース本体に対して回転可能な回転板が枢設され、回転板に回転板に対してスライド可能なスライド板が組み合わされ、該スライド板に上蓋が固定される。上蓋を取り出したい時、上蓋をスライド板により前向きにある距離スライドさせ、並びに回転板により上向きに回し、その逃し孔２４い、さらにストッパ手段により回転板を係止する。反対に、ストッパ手段をスライドさせて回転板より離脱させれば、上蓋を反対方向にケース本体に閉じ合わせることができる。ゆえに、上蓋の取り出し或いは閉合がケース本体の上方空間を使用して行われ、これにより作業に必要な作業空間を節約し、且つ本発明の構造は操作が容易で、組立、修理時の時間を節約して作業効率を高める。【選択図】        図１
2004310697.tif 000002
【特許請求の範囲】
【請求項１】
ケースの開閉構造において、該ケースは、ケース本体、回転板、スライド板、上蓋、及び少なくとも一つのストッパ手段を具え、
該ケース本体は、前板、後ろ板、及び相互に対応する二つの側板を具え、この二つの側板に同軸に二つの第１枢接構造が設けられ、且つ上述の二つの側板の少なくとも一方に、第１スライド構造と、第１係合端が設けられ、
該回転板は前縁、後縁、及び少なくとも一つの第２案内構造を具え、この第２案内構造が回転板の前縁より後縁に平行に延伸され、回転板の後縁に近い相互に対応する二側にそれぞれ折り曲げ部が設けられ、この二つの折り曲げ部に、同軸に二つの第２枢接構造が設けられ、この第２枢接構造が、上述のケース本体の二つの第１枢接構造に対応し並びに枢接され、回転板が上述のケース本体に対して回転可能とされ、また、この回転板の、ケース本体の第１スライド構造と第１係合端を具えた側板に対応する折り曲げ部にストッパ部が形成され、
該スライド板に少なくとも一つの第１案内構造が設けられて、該第１案内構造が上述の回転板の少なくとも一つの第２案内構造に対応しスライド式に組み合わされ、スライド板が回転板に対して所定の距離をスライド可能とされ、
該上蓋はこのスライド板に固定され、並びに上述のケース本体上部を閉合し、
該少なくとも一つのストッパ手段は上述のケース本体の、第１スライド構造と第１係合端を具えた側板に組み付けられ、且つこのストッパ手段が上記第１スライド構造に対応しスライド式に組み合わされる第２スライド構造、ストッパ端、第２係合端、第１係合端と第２係合端に係合されて該ストッパ手段に対して該ケース本体の前板より後ろ板方向に向けてスライドするよう付勢して該ストッパ端を該回転板のストッパ部に係止させるバネ、及び該ストッパ手段を該ケース本体の後ろ板より前板方向にスライドさせて該ストッパ端を該回転板のストッパ部より離脱させる操作に供される操作部を具え、
以上を特徴とする、ケースの開閉構造。
【請求項２】
請求項１記載のケースの開閉構造において、回転板に斜向溝が形成されて、該斜向溝が後縁より前縁に向けて延伸され、且つ該斜向溝にストッパ凹部が凹設され、別にスライド板に滑り溝が形成され、係合柱がこの滑り溝にスライド式に組み合わされると共に斜向溝内に嵌入し、バネが該係合柱に付勢力を提供してスライド板が回転板に対して所定の距離をスライドした後、該係合柱をストッパ凹部内に滑り込ませて該ストッパ板の回転板に対するスライドを阻止することを特徴とする、ケースの開閉構造。
【請求項３】
請求項１記載のケースの開閉構造において、二つの第１枢接構造が回転軸とされ、二つの第２枢接構造が枢接孔とされたことを特徴とする、ケースの開閉構造。
【請求項４】
請求項１記載のケースの開閉構造において、二つの第１スライド構造が案内ブロックとされ、第２スライド構造が滑り溝とされたことを特徴とする、ケースの開閉構造。
【請求項５】
請求項１記載のケースの開閉構造において、第１案内構造が凸柱とされ、第２案内構造が凹溝とされたことを特徴とする、ケースの開閉構造。
【請求項６】
請求項１記載のケースの開閉構造において、回転板の二つの折り曲げ部に二つの第２枢接構造と同心の二つの案内凹溝が形成され、且つケース本体の二つの側板に、この二つの案内凹溝に対応しスライド式に組み合わされる二つ案内柱が形成されたことを特徴とする、ケースの開閉構造。
【発明の詳細な説明】
【０００１】
【発明の属する技術分野】
本発明は一種のケースの開閉構造に係り、特に、コンピュータケースの開閉構造に関する。
【０００２】
【従来の技術】
現在市販されているコンピュータ装置、例えばパーソナルコンピュータは、そのケースがケース本体と上蓋で組成され、並びに上蓋を取り外す或いは閉合してコンピュータ装置の組立と修理作業が行われる。
【０００３】
しかし、従来の技術は、上蓋の取り出し或いは閉合に後ろ引き出し式、或いは前滑入式等の方式が採用され、則ち、上蓋全体が引き出されるか、或いは全体がケース本体にスライド式に挿入される。このため、使用される作業空間として、ケースの占有する空間と上蓋の取り出し或いは閉合時に占有する空間とが必要であり、周知の必要作業空間は上蓋にケースを加えた部分より大きくなければならない。このほか、上述の上蓋の取り出し或いは閉合等の作業は、コンピュータ装置の組立或いは修理時の時間の浪費を形成しやすく、並びにそのために作業効率が悪くなる。
【０００４】
【発明が解決しようとする課題】
本発明の主要な目的は、一種のケースの開閉構造を提供することにあり、それは上蓋の取り出し或いは閉合時に必要な作業空間を節約できる構造であるものとする。
【０００５】
本発明のもう一つの目的は、一種のケースの開閉構造を提供することにあり、それは、組立或いは修理時の時間を節約し作業効率を高める構造であるものとする。
【０００６】
【課題を解決するための手段】
請求項１の発明は、ケースの開閉構造において、該ケースは、ケース本体、回転板、スライド板、上蓋、及び少なくとも一つのストッパ手段を具え、
該ケース本体は、前板、後ろ板、及び相互に対応する二つの側板を具え、この二つの側板に同軸に二つの第１枢接構造が設けられ、且つ上述の二つの側板の少なくとも一方に、第１スライド構造と、第１係合端が設けられ、
該回転板は前縁、後縁、及び少なくとも一つの第２案内構造を具え、この第２案内構造が回転板の前縁より後縁に平行に延伸され、回転板の後縁に近い相互に対応する二側にそれぞれ折り曲げ部が設けられ、この二つの折り曲げ部に、同軸に二つの第２枢接構造が設けられ、この第２枢接構造が、上述のケース本体の二つの第１枢接構造に対応し並びに枢接され、回転板が上述のケース本体に対して回転可能とされ、また、この回転板の、ケース本体の第１スライド構造と第１係合端を具えた側板に対応する折り曲げ部にストッパ部が形成され、
該スライド板に少なくとも一つの第１案内構造が設けられて、該第１案内構造が上述の回転板の少なくとも一つの第２案内構造に対応しスライド式に組み合わされ、スライド板が回転板に対して所定の距離をスライド可能とされ、
該上蓋はこのスライド板に固定され、並びに上述のケース本体上部を閉合し、
該少なくとも一つのストッパ手段は上述のケース本体の、第１スライド構造と第１係合端を具えた側板に組み付けられ、且つこのストッパ手段が上記第１スライド構造に対応しスライド式に組み合わされる第２スライド構造、ストッパ端、第２係合端、第１係合端と第２係合端に係合されて該ストッパ手段に対して該ケース本体の前板より後ろ板方向に向けてスライドするよう付勢して該ストッパ端を該回転板のストッパ部に係止させるバネ、及び該ストッパ手段を該ケース本体の後ろ板より前板方向にスライドさせて該ストッパ端を該回転板のストッパ部より離脱させる操作に供される操作部を具え、
以上を特徴とする、ケースの開閉構造としている。
請求項２の発明は、請求項１記載のケースの開閉構造において、回転板に斜向溝が形成されて、該斜向溝が後縁より前縁に向けて延伸され、且つ該斜向溝にストッパ凹部が凹設され、別にスライド板に滑り溝が形成され、係合柱がこの滑り溝にスライド式に組み合わされると共に斜向溝内に嵌入し、バネが該係合柱に付勢力を提供してスライド板が回転板に対して所定の距離をスライドした後、該係合柱をストッパ凹部内に滑り込ませて該ストッパ板の回転板に対するスライドを阻止することを特徴とする、ケースの開閉構造としている。
請求項３の発明は、請求項１記載のケースの開閉構造において、二つの第１枢接構造が回転軸とされ、二つの第２枢接構造が枢接孔とされたことを特徴とする、ケースの開閉構造としている。
請求項４の発明は、請求項１記載のケースの開閉構造において、二つの第１スライド構造が案内ブロックとされ、第２スライド構造が滑り溝とされたことを特徴とする、ケースの開閉構造としている。
請求項５の発明は、請求項１記載のケースの開閉構造において、第１案内構造が凸柱とされ、第２案内構造が凹溝とされたことを特徴とする、ケースの開閉構造としている。
請求項６の発明は、請求項１記載のケースの開閉構造において、回転板の二つの折り曲げ部に二つの第２枢接構造と同心の二つの案内凹溝が形成され、且つケース本体の二つの側板に、この二つの案内凹溝に対応しスライド式に組み合わされる二つ案内柱が形成されたことを特徴とする、ケースの開閉構造としている。
【０００７】
【発明の実施の形態】
本発明のケースの開閉構造は、ケース本体、回転板、スライド板、上蓋、及び少なくとも一つのストッパ手段を具えている。そのうち、該ケース本体は、前板、後ろ板、及び相互に対応する二つの側板を具え、この二つの側板に同軸の二つの第１枢接構造が設けられ、且つ上述の二つの側板の少なくとも一方に、第１スライド構造と、第１係合端が設けられている。このほか、回転板が前縁、後縁、及び少なくとも一つの第２案内構造を具え、この第２案内構造は回転板の前縁より後縁に平行に延伸され、回転板の後縁に近い相互に対応する二側にそれぞれ折り曲げ部が設けられ、この二つの折り曲げ部に同軸の二つの第２枢接構造が設けられ、この第２枢接構造が、上述のケース本体の二つの第１枢接構造に対応し並びに枢設され、回転板が上述のケース本体に対して回転可能とされ、また、この回転板の、ケース本体の第１スライド構造と第１係合端を具えた側板に対応する折り曲げ部にストッパ部が形成されている。また、上述のスライド板に少なくとも一つの第１案内構造が設けられて、上述の回転板の少なくとも一つの第２案内構造に対応しスライド式に組み合わされ、スライド板が回転板に対して所定の距離をスライド可能とされ、上蓋はこのスライド板に固定され、並びに上述のケース本体を閉合する。このほか、本発明の少なくとも一つのストッパ手段は上述のケース本体の、第１スライド構造と第１係合端を具えた側板に組み付けられ、且つこのストッパ手段が第２スライド構造、ストッパ端、第２係合端、バネ、及び操作部を具えている。そのうち、第２スライド構造は、ストッパ手段が組み付けられた側板の第１スライド構造に対応しスライド式に組み合わされ、バネは第２係合端及び第１係合端に係合してストッパ手段をケース本体の前板から後板に向けてスライドするよう付勢し、これによりストッパ手段のストッパ端が回転板のストッパ部に係止され、操作部はストッパ手段をケース本体の後板より前板方向にスライドさせてストッパ端に回転板のストッパ部を離脱させる操作に供される。
【０００８】
上蓋の取り出し作業を行ないたい時は、まず上蓋をスライドさせ、それをスライド板により回転板に対して所定の距離スライドさせ、その後、上蓋を回転させてそれを回転板によりケース本体に対して回転させる。ある高度まで回転させると、ストッパ手段がバネの付勢によりケース本体に対してスライドすると共に、そのストッパ端が回転板のストッパ部に係止され、これにより上蓋が係止されて脱落が防止される。この時、関係部品の組み付け或いは修理等の作業を行うことができる。反対に、上蓋を閉合したい時は、まず、ストッパ手段の操作部を操作してストッパ手段をケース本体の後板より前板方向にスライドさせる。このとき、ストッパ手段のストッパ端が回転板のストッパ部より離脱して回転板を順調に回転させ、上蓋が回転板の回転動作に伴い、ケース本体に閉じ合わされる。その後、さらに上蓋を押動してそれをスライド板により回転板に対してスライドさせると、上蓋が完全にケース本体に閉じ合わされる。
【０００９】
ゆえに本発明の上蓋は取り出し或いは閉合の過程で、ケース本体の上方空間を使用し、このため有効に上蓋の取り出し或いは閉合時に必要な作業空間を節約でき、並びに周知の、上蓋にケース本体を加えた大きな作業空間を必要とする問題を発生せず、且つ本発明の構造は操作が容易で、有効に組立或いは修理時の時間を節約でき、作業効率を高めることができる。
【００１０】
【実施例】
図１の本発明の分解斜視図に示されるように、本発明のケースの開閉構造は、ケース本体１、回転板２、スライド板４、上蓋５、及び少なくとも一つのストッパ手段３を具えている。そのうち、該ケース本体１は、前板１１、後ろ板１２、及び相互に対応する二つの側板１３、１４を具え、この二つの側板１３、１４に同軸の二つの第１枢接構造１３１、１４１が設けられ、且つそのうち一方の側板１３に、第１スライド構造１３２と、第１係合端１３３が設けられている。本実施例では、二つの第１枢接構造１３１、１４１が枢軸とされ、第１スライド構造１３２が案内ブロックとされている。
【００１１】
このほか、図示される回転板２が前縁２１、後縁２２、及び７個の第２案内構造２３を具え、この第２案内構造２３は回転板２の前縁２１より後縁２２に平行に延伸され、本実施例では、第２案内構造２３は凹溝とされ、回転板２の後縁２２に近い相互に対応する二側にそれぞれ折り曲げ部２４、２５が形成され、この二つの折り曲げ部２４、２５に同軸の二つの第２枢接構造２４１、２５１が設けられ、本実施例では、この第２枢接構造２４１、２５１が枢接孔とされ、且つそれがケース本体１の二つの第１枢接構造１３１、１４１に使用された枢軸に対応し枢設され、ゆえに回転板２が上述のケース本体１に対して回転可能とされる。このほか、この回転板２に、ケース本体１の第１スライド構造１３２と第１係合端１３３を具えた側板１３に対応する折り曲げ部２４にストッパ部２４２が形成され、且つ二つの折り曲げ部２４、２５に上述の二つの第２枢接構造２４１、２５１と同心の二つの案内凹溝２４３、２５３が形成され、上述のケース本体１の二つの側板１３、１４に二つの案内柱１３４、１４４が形成され、該案内柱１３４、１４４が二つの案内凹溝２４３、２５３内に対応しスライド式に組み合わされて、回転板２を案内してケース本体１に対して回転させる。このほか、回転板２に斜向溝２６が形成され、この斜向溝２６は回転板２の後縁２２より前縁２１に向けて斜めに延伸され、且つこの斜向溝２６にストッパ凹部２６１が凹設されている。
【００１２】
また、図１に示されるスライド板４に７個の第１案内構造４１が設けられ、これら第１案内構造４１は本実施例では凸柱が使用されて、上述の回転板２の第２案内構造２３に使用された凹溝と対応してスライド式に組み合わされ、ゆえにスライド板４がこれにより回転板２に対して所定の距離スライドすることにより、上述の上蓋５がこのスライド板４に固定される。このほか、このスライド板４に滑り溝４２、係合柱４３、バネ４４が設けられ、そのうち係合柱４３は滑り溝４２内にスライド式に組み合わされると共に回転板２の斜向溝２６内に嵌合される。
【００１３】
図１及び図４を共に参照されたい。本実施例はストッパ手段３を具え、それは上述のケース本体１の、第１スライド構造１３２と第１係合端１３３を具えた側板１３に組み付けられ、このストッパ手段３は、第２スライド構造３１、ストッパ端３２、第２係合端３３、バネ３４、及び操作部３５を具えている。そのうち、第２スライド構造３１には滑り溝が使用され、ゆえにそれが上述の側板１３の第１スライド構造１３２に使用された案内ブロックにスライド式に組み合わされ、バネ３４が第２係合端３３と第１係合端１３３に係合されて、このストッパ手段３がケース本体１の前板１１から後板に向けてスライドするよう付勢する。
【００１４】
図１と図２を共に参照されたい。上蓋５を取り出したい時は、まず上蓋５をケース本体１の前板１１方向にスライドさせ、スライド板４の第１案内構造４１に使用された凸柱と回転板２の第２案内構造２３に使用された凹溝により上蓋５が所定の距離スライドさせられる。その後、図１、３及び図４に示されるように、上蓋５を上向きに回転させる。一般に、ケース本体１の前板１１には他の設備、例えばＣＤドライブ等が組み付けられているため、上蓋５を先にケース本体１の前板１１方向にある距離スライドさせることにより、上蓋５回転時にその他の設備による妨害を受けないようにし、回転板２の回転動作により上蓋５をある高度まで回転させる。このとき、ストッパ手段３のバネ３４の提供する付勢力によりストッパ手段３がケース本体１の前板１１方向より後ろ板１２方向にスライドし、これと同時にストッパ端３２が回転板２のストッパ部２４２に係止され、この時、回転板２が回転不能となり、且つこの時、スライド板４の係合柱４３がバネ４４の提供する付勢力作用により駆動されて回転板２の斜向溝２６に形成されたストッパ凹部２６１内に係合し、これにより上蓋５が開放時に係合柱４３とストッパ凹部２６１の係止作用により脱落防止される。
【００１５】
図３及び図５を共に参照されたい。上蓋５を閉合したい時は、まず、ストッパ手段３の操作部３５を操作してストッパ手段３をケース本体１の後ろ板１２方向より前板１１方向にスライドさせる。このとき、ストッパ手段３のストッパ端３２が回転板２のストッパ部２４２より離脱して回転板２を順調に下向きに回転させ、図５、６、７に示されるように、上蓋５が回転板２の回転動作に伴い下向きに回転した後、さらに上蓋５をケース本体１の後ろ板１２の方向より前板１１の方向に押し込んで、上蓋５をケース本体１に閉合させる。
【００１６】
これにより、上蓋５の取り出し或いは閉合の過程で、ケース本体１の上方空間を使用し、このため有効に上蓋５の取り出し或いは閉合時に必要な作業空間を節約でき、並びに周知の、上蓋５にケース本体１を加えた大きな作業空間を必要とする問題を発生せず、且つ簡単な構造設計により、有効に組立或いは修理時の時間を節約でき、作業効率を高めることができる。
【００１７】
このほか、上述の第１枢接構造１３１、１４１に使用される枢軸と第２枢接構造２４１、２５１に使用される枢接孔は交換設置可能で、同様に、第１スライド構造１３２に使用される案内ブロックと第２スライド構造３１に使用される滑り溝、及び第１案内構造４１に使用される凸柱と第２案内構造２３に使用される凹溝もまた交換配置可能である。このほか、上述のストッパ手段３は一つに限定されるわけではなく、ケース本体１の二つの側板１３、１４のいずれにもストッパ手段３を組み付けることが可能である。
【００１８】
上述の実施例は本発明を説明するために提示したものであり、本発明の実施範囲を限定するものではなく、本発明に基づきなしうる細部の修飾或いは改変は、いずれも本発明の請求範囲に属するものとする。
【００１９】
【発明の効果】
本発明は、上蓋の取り出し或いは閉合がケース本体の上方空間を使用して行われ、これにより作業に必要な作業空間を節約し、且つ本発明の構造は操作が容易で、組立、修理時の時間を節約して作業効率を高める。
【図面の簡単な説明】
【図１】本発明の分解斜視図である。
【図２】本発明の上蓋開放とスライドの動作表示図である。
【図３】本発明の上蓋開放状態の表示図である。
【図４】本発明のストッパ手段の係止状態の表示図である。
【図５】本発明のストッパ手段の係止離脱状態の表示図である。
【図６】本発明の上蓋閉合状態の表示図である。
【図７】本発明の上蓋の閉合完成状態の表示図である。
【符号の説明】
１  ケース本体        １１  前板        １２  後ろ板
１３  側板            １３１  第１枢接構造
１３２  第１スライド構造                １３３  第１係合端
１３４  案内柱                          １４  側板
１４１  第１枢接構造                    １４４  案内柱
２  回転板                              ２１  前縁
２２  後縁                              ２３  第２案内構造
２４  折り曲げ部                        ２４１  第２枢接構造
２４２  ストッパ部                      ２４３  案内凹溝
２５  折り曲げ部                        ２５１  第２枢接構造
２５３  案内凹溝                        ２６  斜向溝
２６１  ストッパ凹部                    ３  ストッパ手段
３１  第２スライド構造                  ３２  ストッパ端
３３  第２係合端                        ３４  バネ
３５  操作部                            ４  スライド板
４１  第１案内構造                      ４２  滑り溝
４３  係合柱                            ４４  バネ
５  上蓋
【図１】
2004310697.tif 000003
【図２】
2004310697.tif 000004
【図３】
2004310697.tif 000005
【図４】
2004310697.tif 000006
【図５】
2004310697.tif 000007
【図６】
2004310697.tif 000008
【図７】
2004310697.tif 000009